【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
受信信号を復調するための受信機における動作モードを決定する方法であって、
前記受信信号に含まれる信号イメージを識別するステップと、
単一の遅延量を用いて前記受信信号を処理する単一遅延の受信機モードについて、第１の信号品質メトリックを決定するステップと、
複数の遅延量を用いて前記受信信号を処理する複数遅延の受信機モードについて、第２の信号品質メトリックを決定するステップと、
前記第１の信号品質メトリックと前記第２の信号品質メトリックとの比較に基づいて、前記単一遅延の受信機モードと前記複数遅延の受信機モードとのいずれかを選択するステップと
を含むことを特徴とする方法。
【請求項２】
前記識別するステップは、
電力遅延プロファイルを作成するステップと、
前記電力遅延プロファイル内での電力の極大値を検出するステップと
を含むことを特徴とする請求項１に記載の方法。
【請求項３】
前記受信機は、
ＲＡＫＥ受信機と、
チップ等化受信機と
を含み、
前記単一遅延の受信機モードは、
前記ＲＡＫＥ受信機が備える単一のＲＡＫＥフィンガ又は前記チップ等化受信機が備える単一の遅延タップを、前記極大値に対応した遅延に配置することを含み、
前記複数遅延の受信機モードは、
前記ＲＡＫＥ受信機が備える複数のＲＡＫＥフィンガ又は前記チップ等化受信機が備える複数の遅延タップを、前記極大値の近傍に位置する複数の遅延に配置することを含む
ことを特徴とする請求項２に記載の方法。
【請求項４】
前記複数遅延の受信機モード用の前記第２の信号品質メトリックは、前記複数遅延の受信機モードにおいて使用される遅延の数に等しい数の経路遅延を含んだ、前記信号イメージのフルオーダーモデルに基づいていることを特徴とする請求項１に記載の方法。
【請求項５】
前記複数遅延の受信機モード用の前記第２の信号品質メトリックは、前記複数遅延の受信機モードにおいて使用される遅延の数よりも少ない数の経路遅延を含んだ、前記信号イメージの削減オーダーモデルに基づいており、
前記複数遅延の受信機モード用の前記第２の信号品質メトリックを決定する前記ステップは、
２つ以上の経路遅延のセットを仮定するステップと、
前記経路遅延のセット延の各セットについてメトリックを算出するステップと、
前記メトリックに基づいて、前記仮定された経路遅延のセットを選択するステップと、
前記選択された経路遅延のセットを使用して、前記第２の信号品質メトリックを算出するステップと
を含むことを特徴とする請求項１に記載の方法。
【請求項６】
前記第１の信号品質メトリック及び前記第２の信号品質メトリックは、信号対干渉比を含むことを特徴とする請求項１に記載の方法。
【請求項７】
選択された受信機モードを使用して前記受信信号を復号するステップと、
復号に失敗すると第２の受信機モードを使用して、前記受信信号について２度目の復号を実行するステップと
をさらに含む
ことを特徴とする請求項１に記載の方法。
【請求項８】
前記受信機モードについてのモード選択機能が選択的にイネーブル又はディスエーブルされ、
前記受信機モードについてのモード選択機能は、非分散性のチャネルについてのみイネーブルにされるか、選択されたデータレートについてイネーブルにされるか、または、選択された変調方式についてイネーブルにされる
ことを特徴とする請求項１に記載の方法。
【請求項９】
前記受信機モードについてのモード選択は、それぞれ異なる複数のアンテナにより受信された複数の受信信号についてそれぞれ個別に実行されるか、または、統合して実行されることを特徴とする請求項１に記載の方法。
【請求項１０】
前記受信機モードについてのモード選択は、１つ以上のアンテナにより送信された１つ以上の受信信号についてそれぞれ個別に実行されるか、または、統合して実行されることを特徴とする請求項１に記載の方法。
【請求項１１】
前記受信機は、選択された受信機モードを使用して逆拡散された逆拡散値をＲＡＫＥ合成するＲＡＫＥ受信機を含むことを特徴とする請求項１に記載の方法。
【請求項１２】
前記第１及び第２の信号品質メトリックは、ＲＡＫＥ合成を施す前に算出されることを特徴とする請求項１１に記載の方法。
【請求項１３】
前記単一遅延の受信機モードと前記複数遅延の受信機モードは、前記ＲＡＫＥ受信機用の単一フィンガ受信機モードと、複数フィンガ受信機モードとを含むことを特徴とする請求項１１に記載の方法。
【請求項１４】
前記第１及び第２の信号品質メトリックは、前記単一遅延の受信機モード及び前記複数遅延の受信機モードにおいてＲＡＫＥ合成を実行した後で、算出され、
前記受信信号は、前記単一遅延の受信機モード及び前記複数遅延の受信機モードにおいて並行してＲＡＫＥ合成され、前記信号品質メトリックは、復号するために、ＲＡＫＥ合成されたシンボルの推定値を選択する際に使用される
ことを特徴とする請求項１３に記載の方法。
【請求項１５】
前記ＲＡＫＥ受信機は、複数のＲＡＫＥフィンガにわたり劣化した相関値の関数として決定された合成重みを使用して複数の信号イメージを合成する、汎用ＲＡＫＥ受信機であることを特徴とする請求項１１に記載の方法。
【請求項１６】
前記受信機は、チップ等化受信機を含み、前記単一遅延の受信機モードと前記複数遅延の受信機モードとは、単一タップ受信機モードと複数タップ受信機モードとを含むことを特徴とする請求項１に記載の方法。
【請求項１７】
１つ以上の信号イメージを含む受信信号を復調する受信機であって、
前記受信信号に含まれている信号イメージを検出する遅延検索器と、
単一の遅延量を用いて前記受信信号を処理する単一遅延の受信機モードについて、第１の信号品質メトリックを決定し、複数の遅延量を用いて前記受信信号を処理する複数遅延の受信機モードについて、第２の信号品質メトリックを決定し、かつ、前記第１の信号品質メトリックと前記第２の信号品質メトリックとの比較に基づいて、前記単一遅延の受信機モードと前記複数遅延の受信機モードとのいずれかを選択するプロセッサと
を含むことを特徴とする受信機。
【請求項１８】
前記遅延検索器は、電力遅延プロファイルを作成することで前記受信信号に含まれる信号イメージを識別し、かつ、前記電力遅延プロファイル内での電力の極大値を検出する陽構成されていることを特徴とする請求項１７に記載の受信機。
【請求項１９】
前記受信機は、
ＲＡＫＥ受信機と、
チップ等化受信機と
を含み、
前記単一遅延の受信機モードは、
前記ＲＡＫＥ受信機が備える単一のＲＡＫＥフィンガ又は前記チップ等化受信機が備える単一の遅延タップを、前記極大値に対応した遅延に配置することを含む
ことを特徴とする請求項１８に記載の受信機。
【請求項２０】
前記受信機は、
ＲＡＫＥ受信機と、
チップ等化受信機と
を含み、
前記複数遅延の受信機モードは、
前記ＲＡＫＥ受信機が備える複数のＲＡＫＥフィンガ又は前記チップ等化受信機が備える複数の遅延タップを、前記極大値の近傍に位置する複数の遅延に配置することを含む
ことを特徴とする請求項１８に記載の受信機。
【請求項２１】
前記プロセッサは、
前記複数遅延の受信機モードにおいて使用される遅延の数に等しい数の経路遅延を含んだ、前記信号イメージのフルオーダーモデルに基づいて、前記複数遅延の受信機モード用の前記第２の信号品質メトリックを決定するよう構成されている
ことを特徴とする請求項１７に記載の受信機。
【請求項２２】
前記プロセッサは、
前記複数遅延の受信機モードにおいて使用される遅延の数よりも少ない数の経路遅延を含んだ、前記信号イメージの削減オーダーモデルに基づいて、前記複数遅延の受信機モード用の前記第２の信号品質メトリックを決定するよう構成されており、
さらに、前記プロセッサは、前記複数遅延の受信機モード用の前記第２の信号品質メトリックを決定するために、
２つ以上の経路遅延のセットを仮定し、
前記経路遅延のセット延の各セットについてメトリックを算出し、
前記メトリックに基づいて、前記仮定された経路遅延のセットを選択し、
前記選択された経路遅延のセットを使用して、前記第２の信号品質メトリックを算出するよう構成されている
ことを特徴とする請求項１７に記載の受信機。
【請求項２３】
前記第１の信号品質メトリック及び前記第２の信号品質メトリックは、信号対干渉比を含むことを特徴とする請求項１７に記載の受信機。
【請求項２４】
前記プロセッサは、前記受信機モードについてのモード選択を選択的にイネーブル又はディスエーブルするよう構成されており、
前記プロセッサは、
前記受信機モードについてのモード選択を非分散性のチャネルについてのみイネーブルにするか、
前記受信機モードについてのモード選択を、選択されたデータレートについてイネーブルにするか、または、
記受信機モードについてのモード選択を、選択された変調方式についてイネーブルにするよう構成されている
ことを特徴とする請求項１７に記載の受信機。
【請求項２５】
前記プロセッサは、前記受信機モードについてのモード選択を、それぞれ異なる複数のアンテナにより受信された複数の受信信号についてそれぞれ個別に実行するか、または、統合して実行するよう構成されていることを特徴とする請求項１７に記載の受信機。
【請求項２６】
前記プロセッサは、前記受信機モードについてのモード選択を、１つ以上のアンテナにより送信された１つ以上の受信信号についてそれぞれ個別に実行するか、または、統合的に実行するよう構成されていることを特徴とする請求項１７に記載の受信機。
【請求項２７】
前記受信機は、
選択された受信機モードを使用して逆拡散された逆拡散値をＲＡＫＥ合成するＲＡＫＥ受信機を含み、
前記プロセッサは、フィンガ設定プロセッサを含む
ことを特徴とする請求項１７に記載の受信機。
【請求項２８】
前記受信機は、復号に失敗すると第２の受信機モードを使用して、前記受信信号について２度目の復号を実行することを特徴とする請求項２７に記載の受信機。
【請求項２９】
前記フィンガ設定プロセッサは、前記第１及び第２の信号品質メトリックを、ＲＡＫＥ合成を施す前に算出するよう構成されていることを特徴とする請求項２７に記載の受信機。
【請求項３０】
前記フィンガ設定プロセッサは、前記第１及び第２の信号品質メトリックを、前記単一遅延の受信機モード及び前記複数遅延の受信機モードにおいてＲＡＫＥ合成を実行した後で、算出し、
前記ＲＡＫＥ受信機は、前記受信信号を、前記単一遅延の受信機モード及び前記複数遅延の受信機モードにおいて並行してＲＡＫＥ合成するよう構成されており、
前記フィンガ設定プロセッサは、前記信号品質メトリックに基づいて復号するために、ＲＡＫＥ合成されたシンボルの推定値を選択するよう構成されている
ことを特徴とする請求項２７に記載の受信機。
【請求項３１】
前記ＲＡＫＥ受信機は、複数のＲＡＫＥフィンガにわたり劣化した相関値の関数として決定された合成重みを使用して複数の信号イメージを合成する汎用ＲＡＫＥ受信機であることを特徴とする請求項２７に記載の受信機。
【請求項３２】
前記受信機は、チップ等化受信機を含み、
前記プロセッサは、フィルタプロセッサを含み、
前記チップ等化受信機は、1つ以上の遅延タップを使用して前記受信信号をフィルタリングするよう構成された等化フィルタを含む
ことを特徴とする請求項１７に記載の受信機。